(57)【要約】      （修正有）【課題】軽量で設置や持ち運びが容易であり、かつ安全に仮設足場とベランダとの間を行き来することができるベランダ設置用タラップを提供する。【解決手段】建築物のベランダと仮設足場との間を行き来するためにベランダの手摺に設置するタラップであって、展開状態と折畳状態との間で互いに折曲可能に軸着された第１および第２の梯子部からなる梯子部１と、第１の梯子部１ａの先端に設けた、広幅の手摺に係止するための広幅係止部２ａと、第２の梯子部１ｂの先端に設けた、狭幅の手摺に係止するための狭幅係止部２ｂとを備える。また、広幅係止部２ａと狭幅係止部２ｂは、それぞれ先端に軸３２で回動可能に軸着された当接部２１，２１’とを備える。【選択図】図１
0003193554.tif 000002
【実用新案登録請求の範囲】
【請求項１】
建築物のベランダと仮設足場との間を行き来するためにベランダの手摺に設置するタラップであって、
展開状態と折畳状態との間で互いに折曲可能に軸着された第１および第２の梯子部と、
第１の梯子部の先端に設けた、広幅の手摺に係止するための広幅係止部と、
第２の梯子部の先端に設けた、狭幅の手摺に係止するための狭幅係止部とを備えたことを特徴とするベランダ設置用タラップ。
【請求項２】
前記広幅係止部が第１の梯子部に対して折曲可能に軸着されている請求項１に記載のベランダ設置用タラップ。
【請求項３】
第１の梯子部と第２の梯子部は互いに軸によって回動可能に軸着されると共に、
第１の梯子部と第２の梯子部の一方には、前記軸を中心とする円弧状のガイド溝が形成されており、第１の梯子部と第２の梯子部の他方には、一方に向かって爪部が突設され、この爪部がガイド溝内に挿入され第１または第２の梯子部の回動に従って爪部がガイド溝内を移動し、ガイド溝の両端がそれぞれ第１の梯子部と第２の梯子部の展開状態および折畳状態におけるストッパーとなるように構成されている請求項１または２に記載のベランダ設置用タラップ。
【請求項４】
第１の梯子部と広幅係止部は互いに軸によって回動可能に軸着されると共に、
第１の梯子部と広幅係止部の一方には、前記軸を中心とする円弧状のガイド溝が形成されており、第１の梯子部と広幅係止部の他方には、一方に向かって爪部が突設され、この爪部がガイド溝内に挿入され第１の梯子部または広幅係止部の回動に従って爪部がガイド溝内を移動し、ガイド溝の両端がそれぞれ第１の梯子部と広幅係止部の展開状態および折畳状態におけるストッパーとなるように構成されている請求項２または３に記載のベランダ設置用タラップ。
【請求項５】
前記広幅係止部および狭幅係止部の少なくとも一方の先端に回動可能に軸着され、ベランダの手摺と当接する当接部を備えた請求項１〜４のいずれかに記載のベランダ設置用タラップ。
【請求項６】
前記当接部が凹部を備える請求項５に記載のベランダ設置用タラップ。
【考案の詳細な説明】
【技術分野】
【０００１】
本考案は、マンション等の建築工事や補修工事において、ベランダとその外側に仮設された足場との間を作業者が行き来するために用いるベランダ設置用タラップに関する。
【背景技術】
【０００２】
従来、マンション等の建築工事あるいは補修工事等において、建物の外壁面に沿った仮設足場と建物のベランダとを作業者が行き来する際に、例えばベランダ内に脚立を設置し、一般的には脚立の天板と仮設足場の足場板との間に踏み板を架設して、ベランダの手摺またはフェンス越しに作業通路を形成する。
しかしながら、単に脚立をベランダに立てただけでは固定が十分でなく、さらに脚立と踏み板間の連結強度、および踏み板と足場板間の連結強度にも十分な安定性を確保できなかった。
このため、作業者は不安定な踏み板上を通って仮設足場とベランダとの間を行来する必要があり、作業性や安全性に劣るという問題がある。
【０００３】
一方、特許文献１には仮設足場に取り付けられるベランダ設置用タラップが提案されている。しかし、特許文献１のベランダ設置用タラップは、梯子の上端を足場に固定するものであるため、マンションの各戸のベランダごとに梯子を移動させ固定するのは容易ではなく、そのため作業効率が悪いという問題がある。
【先行技術文献】
【特許文献】
【０００４】
【特許文献１】特開平９−１３７６００号公報
【考案の概要】
【考案が解決しようとする課題】
【０００５】
本考案の課題は、軽量で設置や持ち運びが容易であり、かつ安全に仮設足場とベランダとの間を行き来することができるベランダ設置用タラップを提供することを目的とする。
【課題を解決するための手段】
【０００６】
本考案者は、上記課題を解決すべく鋭意検討を重ねた結果、本考案を完成するに至った。すなわち、本考案のベランダ設置用タラップは以下の構成を有する。
（１）建築物のベランダと仮設足場との間を行き来するためにベランダの手摺に設置するタラップであって、展開状態と折畳状態との間で互いに折曲可能に軸着された第１および第２の梯子部と、第１の梯子部の先端に設けた、広幅の手摺に係止するための広幅係止部と、第２の梯子部の先端に設けた、狭幅の手摺に係止するための狭幅係止部とを備えたことを特徴とするベランダ設置用タラップ。
（２）前記広幅係止部が第１の梯子部に対して折曲可能に軸着されている（１）に記載のベランダ設置用タラップ。
（３）第１の梯子部と第２の梯子部は互いに軸によって回動可能に軸着されると共に、第１の梯子部と第２の梯子部の一方には、前記軸を中心とする円弧状のガイド溝が形成されており、第１の梯子部と第２の梯子部の他方には、一方に向かって爪部が突設され、この爪部がガイド溝内に挿入され第１または第２の梯子部の回動に従って爪部がガイド溝内を移動し、ガイド溝の両端がそれぞれ第１の梯子部と第２の梯子部の展開状態および折畳状態におけるストッパーとなるように構成されている（１）または（２）に記載のベランダ設置用タラップ。
（４）第１の梯子部と広幅係止部は互いに軸によって回動可能に軸着されると共に、第１の梯子部と広幅係止部の一方には、前記軸を中心とする円弧状のガイド溝が形成されており、第１の梯子部と広幅係止部の他方には、一方に向かって爪部が突設され、この爪部がガイド溝内に挿入され第１の梯子部または広幅係止部の回動に従って爪部がガイド溝内を移動し、ガイド溝の両端がそれぞれ第１の梯子部と広幅係止部の展開状態および折畳状態におけるストッパーとなるように構成されている（２）または（３）に記載のベランダ設置用タラップ。
（５）前記広幅係止部および狭幅係止部の少なくとも一方の先端に回動可能に軸着され、ベランダの手摺と当接する当接部を備えた（１）〜（４）のいずれかに記載のベランダ設置用タラップ。
（６）前記当接部が凹部を備える（５）に記載のベランダ設置用タラップ。
【考案の効果】
【０００７】
本考案のベランダ設置用タラップは、軽量でコンパクトであるので、作業者が一人で設置や運搬を行うことができ、取り付けも簡単である。また、手摺の幅に合わせて広幅係止部または狭幅係止部のいずれかを使用でき、汎用性が高いという効果がある。
【図面の簡単な説明】
【０００８】
【図１】本考案の一実施形態に係るベランダ設置用タラップを展開した使用状態を示す斜視図である。
【図２】本考案の一実施形態に係るベランダ設置用タラップの折畳状態を示す側面図である。
【図３】本考案のベランダ設置用タラップに係る当接部を示す斜視図である。
【図４】（ａ）〜（ｄ）は、実施形態に係るベランダ設置用タラップを折畳状態から展開する手順を示す側面図である。
【図５】（ａ）〜（ｃ）は、上記実施形態に係るベランダ設置用タラップの使用形態の一例を示す側面図である。
【図６】（ａ）〜（ｃ）は、上記実施形態に係るベランダ設置用タラップの使用形態の他の例を示す側面図である。
【考案を実施するための形態】
【０００９】
以下、本考案のベランダ設置用タラップ（以下、単にタラップということがある）について、図面を参照して説明する。このタラップは、主としてアパートやマンション等におけるベランダとその外側に設けられた仮設足場とを作業者が行き来するために使用される。
図１に示すタラップ１０は、第１の梯子部１ａと第２の梯子部１ｂとからなる梯子部１と、第１の梯子部１ａの先端に取り付けられた鉤状の広幅係止部２ａと、第２の梯子部１ｂの先端に取り付けられた鉤状の狭幅係止部２ｂとを備える。また、広幅係止部２ａと狭幅係止部２ｂは、それぞれ先端に軸３２で回動可能に軸着された当接部２１，２１’とを備える。
【００１０】
図１では、前記タラップ１０は、第２の梯子部１ｂの先端に取り付けられた狭幅係止部２ｂをベランダのコンクリート手摺１００のトップレール１０１に係止させ、第１の梯子部１ａの先端に取り付けられた広幅係止部２ａの先端の当接部２１をコンクリート手摺１００の壁面１０２に当接させて設置されている。作業者は梯子部１を昇り、トップレール１０１に取り付けられた狭幅係止部２ｂの上面の踏板部２０ｂを通って仮設足場へ移動することができる。
図２は、前記タラップ１０を折り畳んだ状態を示している。
【００１１】
＜梯子部＞
梯子部１を構成する第１の梯子部１ａと第２の梯子部１ｂとは、互いに軸３によって回動可能に軸着されてなり、左右二本の縦木１２の間に、作業者がタラップを登る際の踏み台となる横木１１を架け渡している。
【００１２】
第１の梯子部１ａと第２の梯子部１ｂとは、図１に示すように両方の縦木１２の一端を重ね合わせて軸３で軸着されると共に、この軸３を中心とする円弧状のガイド溝４が第１の梯子部１ａに設けられ、このガイド溝４に第２の梯子部１ｂに設けた爪部５が移動可能に挿入されることによって折り畳み可能に連結されている。折り畳んだ状態を図２に示す。爪部５は、第２の梯子部１ｂの一部を内側に折曲して形成される。ガイド溝４の両端６、６は爪部５があたるストッパーとなる。
また、第１の梯子部１ａと広幅係止部２ａとは、図１に示すように第１の梯子部１ａの縦木１２の一端と広幅係止部２ａの当接部２１の無い一端とを重ね合わせて軸３１で軸着されると共に、軸３１を中心とする円弧状のガイド溝４１が第１の梯子部１ａに設けられ、このガイド溝４１に広幅係止部２ａの一端に設けた爪部５１が移動可能に挿入されることによって折り畳み可能に連結されている。爪部５１は、広幅係止部２ａの一部を内側に折曲して形成される。ガイド溝４１の両端６１、６１は爪部５１があたるストッパーとなる。
【００１３】
タラップ１０の全長は、展開した状態では通常のベランダの手摺の高さを超えない長さ（例えば、約９００ｍｍ）に設定される。全長が短いのでタラップ１０は軽くなり、折り畳んで持ち運びやすくなる。また、タラップ１０の広幅係止部２ａおよび狭幅係止部２ｂのうち、下側にある係止部は、当接部２１または２１’がベランダの手摺下部の壁面に当接する。これによって、タラップ１０を安定させることができる。
【００１４】
＜広幅係止部＞
第１の梯子部１ａの先端には、広幅の手摺に係止するための広幅係止部２ａが軸３によって回動可能に軸着されている。この広幅係止部２ａは先端に広幅の手摺に係止するために、鉤状の先端を有し、この先端面に当接部２１を有する。広幅係止部２ａの上面には踏板部２０ａが設けられており、作業者は、ベランダの手摺に係止された広幅係止部２ａの上面の踏板部２０ａを通って仮設足場とベランダ間を往来することができる。
【００１５】
広幅係止部２ａの上面の踏板部２０ａには、作業者が足を滑らせないよう、表面に小さな凹凸を付けたり、ゴムマットや布等で覆ってもよい。この踏板部２０ａは、梯子部１に設けた横木１１と同様に、広幅係止部２ａの両辺の間に固定される板状の部材であり、その下面は広幅の手摺上に載置される。
【００１６】
＜狭幅係止部＞
第２の梯子部１ｂの先端には、狭幅の手摺に係止するための狭幅係止部２ｂが設けられている。この狭幅係止部２ｂは、第２の梯子部１ｂと一体に形成されており、第２の梯子部１ｂの縦木１２の先端に手摺に係止させるための鉤状の先端を有し、この先端面に当接部２１’を有する。また縦木１２間に踏板部２０ｂを有する。踏板部２０ｂは、第２の梯子部１ｂに設けた横木１１と同様に縦木１２間に固定される板状の部材であり、狭幅の手摺上に載置される。
【００１７】
＜当接部＞
当接部２１、２１’は、広幅係止部２ａおよび狭幅係止部２ｂの先端において、軸３２，３２’と回動可能に軸着される部材であり、手摺または壁面に当接してタラップ１０を安定させるためのものである。
この当接部２１、２１’は、図３に示すように、両端に広幅係止部２ａおよび狭幅係止部２ｂの先端の貫通孔（図示せず）と共に軸３２、３２’が挿通する貫通孔２３を有し、前面には手摺または壁面に当接する緩衝材２２が貼着される。また、中央部には手摺の柱部に当接する凹部２４を有する。この緩衝材２２の素材は特に限定されないが、ベランダの手摺や壁面を傷つけない点から、ゴム、布、樹脂等であるのがよい。
当接部２１、２１’は、広幅係止部２ａおよび狭幅係止部２ｂに対して回動可能に軸着されているので、手摺または壁面と接する角度が自在となり、常に垂直に当接することができ、タラップ１０を安定に保持することができる。さらに、従来は傷を付けないようにオプション金具が必要であったガラス板が取り付けられた手摺であっても、凹部２４によりガラス板前の柱部を挟むことでタラップ１０の設置が可能となり、前記オプション金具は不要となる。
【００１８】
＜タラップの動作＞
図４（ａ）〜（ｄ）は、タラップ１０を折り畳んだ状態から展開するまでの手順を示している。図４（ａ）に示すように、タラップ１０は、保管時や運搬時には、第１の梯子部１ａの両端に連結された第２の梯子部１ｂと広幅係止部２ａは持ち運びしやすいように折り畳んだ状態となっている。ベランダまたは仮設足場でタラップを展開するには、まず第１の梯子部１ａと第２の梯子部１ｂを回動させる。この時、第２の梯子部１ｂの一端の爪部５は第１の梯子部１ａに設けたガイド溝４の一端６から他端へ向かって移動し、第２の梯子部１ｂが、図４（ｂ）に示すように展開していく。
次に、爪部５がガイド溝４の他端に到達すると、図４（ｃ）に示すように、第２の梯子部１ｂが展開した状態となる。
次に、図４（ｄ）に示すように、広幅係止部２ａを展開することにより、タラップ１０の展開が完了する。
一方、展開したタラップ１０を折り畳む場合は、図４（ａ）〜（ｄ）を逆の手順で行えばよい。
【００１９】
展開させたタラップは、両端に広幅係止部２ａと狭幅係止部２ｂをそれぞれ有しているので、幅が異なる各種の手摺に対応できる。なお、狭幅の手摺とは、３０ｍｍ以上８０ｍｍ未満の幅の手摺を示し、広幅の手摺とは８０ｍｍ以上１８５ｍｍ以下の幅の手摺を示す。
【００２０】
図５（ａ）〜（ｃ）は、狭幅の手摺に対し、本考案のタラップを設置した状態を示している。
図５（ａ）、（ｂ）に示すように、トップレール１２１を有するコンクリート手摺１１１または手摺子１１２で支持された手摺１２２では、幅が狭いため、狭幅係止部２ｂを係止させる。この時、広幅係止部２ａの先端の当接部２１は広幅係止部２ａと軸着されているため、当接部２１の緩衝材２２を設けた前面がコンクリート手摺１１１の壁面や手摺子１１２の柵に垂直に当接することで、タラップ１０を安全に設置することができる。また、狭幅係止部２ｂの先端にも当接部２１’を付けて、トップレール１２１および手摺子１１２の側面と当接させることで、さらにタラップ１０を安定させることができる。
また、図５（ｃ）に示す、ガラス板１１３が取り付けられた手摺１２３にタラップ１０を取り付ける場合、図３に示すように当接部２１の凹部２４内面が手摺１２３を支持する柱部１２４と当接することにより、当接部２１自体がガラス板１１３に接触せず、ガラス板１１３を傷付けることなくタラップ１０を安全に設置することができる。
【００２１】
図６（ａ）〜（ｃ）は、広幅の手摺に対し、本考案のタラップを設置した実施形態を示している。
図６（ａ）〜（ｃ）に示すように、広幅のコンクリート手摺１１４、１１５、１１６を有するベランダでは、広幅係止部２ａを手摺に係止させてタラップ１０を設置できる。この時、狭幅係止部２ｂの先端に軸着された当接部２１’がコンクリート手摺１１４、１１５、１１６の壁面に垂直に当接するため、タラップ１０は安全に設置される。
【００２２】
このようにして手摺に設置されたタラップ１０により、作業者はベランダと仮設足場との間を自由かつ安全に行き来できる。また、タラップ１０は軽量であるので、折り畳めば作業者が一人で簡単に持ち運びできるので、移動、設置および撤去が簡単である。
【００２３】
本考案のベランダ設置用タラップは、種々の高さのベランダ手摺にも対応することができる。また、手摺の幅は通常３０〜１８５ｍｍの範囲で様々であるが、本考案のベランダ設置用タラップはいずれの幅にも対応することができる。
【００２４】
また、本考案のベランダ設置用タラップは、作業者が片手で簡単にベランダ設置用タラップを簡単に取り付け、取り外しを行なうことができる。したがって、作業者は、仮設足場とベランダとの移動を簡単にかつ安全に行うことができる。
【符号の説明】
【００２５】
１  梯子部
１ａ  第１の梯子部
１ｂ  第２の梯子部
２ａ  広幅係止部
２ｂ  狭幅係止部
３、３１、３２  軸
４、４１  ガイド溝
５、５１  爪部
６、６１  一端
７  手摺
１０  ベランダ設置用タラップ
１１  横木
１２  縦木
２０ａ、２０ｂ  踏板部
２１  ２１’  当接部
２２  緩衝材
２３  貫通孔
２４  凹部
１００，１１１，１１４，１１５，１１６  コンクリート手摺
１１２  手摺子
１１３  ガラス板
１０１，１２１  トップレール
１２２，１２３  手摺
１２４  柱部
１０２  壁面
【図１】
0003193554.tif 000003
【図２】
0003193554.tif 000004
【図３】
0003193554.tif 000005
【図４】
0003193554.tif 000006
【図５】
0003193554.tif 000007
【図６】
0003193554.tif 000008